(57)【特許請求の範囲】
【請求項１】
開放口が形成されたフロントパネルを備えるハウジングと、
衣類出し入れ口を備え、前記ハウジング内に設けられるとともに、前記衣類出し入れ口を前記開放口内で上下に動かせるように配置された槽部材と、
前記槽部材内に設けられた回転可能なドラムと、
前記槽部材に取り付けられ、前記衣類出し入れ口を覆うドアユニットと、
レール機構と、を含み、
前記レール機構は、
レール部が設けられたベースを含むレール機構であって、
前記レール部は、前記レール部に沿って移動するように移動体をガイドするためのものであり、前記ベースは、支持体とレール体とを含み、前記レール部は、前記レール体に設けられ、前記支持体と前記レール体とが互いに重なって組み合わされ、前記支持体より前記レール体の耐摩耗性が高く、
前記移動体は、
前記ドアユニットであり、前記ドアユニットが前記レール機構のガイドにより前記開放口内で上下に動く、
ことを特徴とするドラム洗濯機。
【請求項２】
前記レール部は、互いに離間する複数のレールを含む、
ことを特徴とする請求項１に記載のドラム洗濯機。
【請求項３】
前記支持体と前記レール体とは、接続部材によって組み合わされる、
ことを特徴とする請求項１または２に記載のドラム洗濯機。
【請求項４】
前記接続部材がねじである、
ことを特徴とする請求項３に記載のドラム洗濯機。
【請求項５】
前記支持体と前記レール体とが、嵌合またはダイカストにより組み合わされる、
ことを特徴とする請求項１または２に記載のドラム洗濯機。
【請求項６】
前記レール部が円弧状の溝体である、
ことを特徴とする請求項１〜５のいずれか１項に記載のドラム洗濯機。
【請求項７】
前記レール部に沿って移動する可動部をさらに含み、前記ドアユニットは、接続部を介して前記可動部に接続される、
ことを特徴とする請求項１〜６のいずれか１項に記載のドラム洗濯機。
【請求項８】
前記可動部は、本体と、前記本体に対して回動可能な可動端とを含み、前記可動端と前記本体との間に転動体が設けられ、前記可動端は、前記レール部内に嵌合されて、前記レール部に沿って回動可能である、
ことを特徴とする請求項７に記載のドラム洗濯機。
【請求項９】
前記転動体がボールである、
ことを特徴とする請求項８に記載のドラム洗濯機。
【請求項１０】
前記可動端の前記レール部と接触する部分に内凹部が設けられ、前記内凹部と前記レール部とが係合される、
ことを特徴とする請求項８または９に記載のドラム洗濯機。
【請求項１１】
前記レール機構が２組であり、それぞれ前記ハウジングの両側に対称的に設けられる、
ことを特徴とする請求項１〜１０のいずれか１項に記載のドラム洗濯機。
【発明の詳細な説明】
【技術分野】
【０００１】
本発明は、衣類処理機器技術分野に関し、さらに具体的に、ドラム洗濯機に関する。
【背景技術】
【０００２】
関連技術におけるドラム洗濯機のドアユニットは、支持板を介して軸受に接続され、支持板には、軸受と係合するレール部が設けられる。したがって、支持板は、耐摩耗性が良好な材料を用いて製造する必要がある。しかし、支持板は、構造が単一の一体成形材であり、全部耐摩耗性材料を用いて加工する場合、その加工性およびコストのいずれも高すぎ、全部加工しやすく、かつ低コストの材料を用いる場合、製造された支持板の耐摩耗性が悪くなり、使用寿命が短い。
【発明の概要】
【発明が解決しようとする課題】
【０００３】
本発明は、従来技術に存在する技術課題の少なくとも１つを解決することを目的とする。
【０００４】
そのため、本発明は、使用信頼性が高いレール機構を有するドラム洗濯機を提供する。
【課題を解決するための手段】
【０００５】
本発明の実施例に係るドラム洗濯機は、開放口が形成されたフロントパネルを備えるハウジングと、衣類出し入れ口を備え、前記ハウジング内に設けられるとともに、前記衣類出し入れ口を前記開放口内で上下に動かせるように配置された槽部材と、前記槽部材内に設けられた回転可能なドラムと、前記槽部材に取り付けられ、前記衣類出し入れ口を覆うドアユニットと、レール機構とを含む。本発明の実施例に係るレール機構は、レール部が設けられたベースを含み、前記レール部は、前記レール部に沿って移動するように移動体をガイドするためのものであり、前記ベースは、支持体とレール体とを含み、前記レール部は、前記レール体に設けられ、前記支持体と前記レール体とが互いに重なって組み合わされ、前記支持体より前記レール体の耐摩耗性が高い。前記移動体は前記ドアユニットであり、前記ドアユニットが前記レール機構のガイドにより前記開放口内で上下に動く。
【０００６】
本発明の実施例に係るレール機構は、耐摩耗性が異なる材料を用いて支持体およびレール体をそれぞれ製造し、そして組み立ててベースを形成する。支持体よりレール体の耐摩耗性が高いため、ベースの耐摩耗性が向上し、ベースは、性能要求および生産コスト要求を両立することができ、これにより、性能要求を満たすとともに、生産コストを低減し、レール機構のコストパフォーマンスの向上に有利である。
【０００７】
本発明の一実施例によれば、前記レール部は、互いに離間する複数のレールを含む。
【０００８】
本発明の一実施例によれば、前記支持体と前記レール体とは、接続部材によって接続される。
【０００９】
好ましくは、前記接続部材がねじである。
【００１０】
本発明の一実施例によれば、前記支持体と前記レール体とが、嵌合またはダイカストにより組み合わされる。
【００１１】
好ましくは、前記レール部が円弧状の溝体である。
【００１４】
本発明の一実施例によれば、前記ドラム洗濯機は、前記レール部に沿って移動する可動部をさらに含み、前記ドアユニットは、接続部を介して前記可動部に接続される。
【００１５】
好ましくは、前記可動部は、本体と、前記本体に対して回動可能な可動端とを含み、前記可動端と前記本体との間に転動体が設けられ、前記可動端は、前記レール部内に嵌合されて、前記レール部に沿って回動可能である。
【００１６】
好ましくは、前記転動体がボールである。
【００１７】
さらに、前記可動端の前記レール部と接触する部分に内凹部が設けられ、前記内凹部と前記レール部とが係合される。
【００１８】
本発明の一実施例によれば、前記レール機構が２組であり、それぞれ前記ハウジングの両側に対称的に設けられる。
【発明の効果】
【００１９】
本発明の付加的な態様および利点は、一部が以下の説明において示され、一部が以下の説明により明らかになり、または本発明の実践により理解される。
【図面の簡単な説明】
【００２０】
本発明の上記および/または付加的な態様および利点は、実施例を図面を参照しながら以下に説明することにより、明らかになり、理解しやすくなる。
【図１】本発明の一実施例に係るレール機構の組み立て図である。
【図２】図１に示すレール機構の分解図である。
【図３】本発明の他の実施例に係るレール機構の分解図である。
【図４】本発明の実施例に係るレール機構とドアユニットとが組み立てられた後、１つの角度から見た概略構造図である。
【図５】本発明の実施例に係るレール機構とドアユニットとが組み立てられた後、もう１つの角度から見た概略構造図である。
【発明を実施するための形態】
【００２１】
以下、本発明の実施例を詳細に説明する。前記実施例における例が図面に示され、同一または類似する符号は、常に同一または類似する部品、或いは、同一または類似する機能を有する部品を表す。以下に、図面を参照しながら説明される実施例は例示的なものであり、本発明を解釈するためだけに用いられ、本発明を限定するものと理解してはいけない。
【００２２】
なお、本発明の説明において、「中心」、「厚み」、「上」、「下」、「前」、「後」、「左」、「右」、「鉛直」、「頂」、「底」、「内」、「外」、「軸方向」、「径方向」、「周方向」などの用語が示す方位または位置関係は、図面に示す方位または位置関係に基づき、本発明を便利にまたは簡単に説明するためのものであり、指定された装置または部品が特定の方位にあり、特定の方位において構成され操作されると指示または暗示するものではないので、本発明を限定するものと理解してはいけない。
【００２３】
以下、図１〜図３を参照して本発明の第１態様の実施例に係るレール機構Ａを説明する。
【００２４】
図１〜図３に示すように、本発明の実施例に係るレール機構Ａは、ベースを含む。前記ベースにレール部２１が設けられ、レール部２１は、レール部２１に沿って移動するように移動体（図示せず）をガイドするためのものである。前記ベースは、支持体１０とレール体２０とを含み、レール部２１がレール体２０に設けられる。支持体１０とレール体２０とが互いに重なって組み合わせられ、支持体１０よりレール体２０の耐摩耗性が高い。
【００２５】
本発明の実施例に係るレール機構Ａは、耐摩耗性が異なる材料を用いて、支持体１０およびレール体２０をそれぞれ製造し、そして、組み立ててベースを形成する。支持体１０よりレール体２０の耐摩耗性が高いため、ベースの耐摩耗性が向上し、組み合わせたベースは、性能要求と生産コスト要求とを両立させることができ、これにより、性能要求を満たすとともに、生産コストを低減させ、レール機構Ａのコストパフォーマンスの向上に有利である。
【００２６】
ここで、支持体１０には、レール部２１に対応するガイド部１１が設けられる。つまり、ガイド部１１とレール部２１とは、形状が同じで、位置が対応しており、また、レール部２１およびガイド部１１には、それぞれレール体２０および支持体１０を厚み方向に貫通する円弧状の溝体が形成される。これにより、レール部２１とガイド部１１とによって深さが大きい新たな円弧状の溝体が構成される。
【００２７】
好ましくは、レール体２０の表面積は、支持体１０の表面積より小さく、且つレール体２０が、支持体１０のガイド部１１に隣接する位置を覆い、これにより、支持体１０のガイド部１１に隣接する位置の構造強度および耐摩耗性が強化される。
【００２８】
いくつかの例において、レール体２０は、高強度の耐摩耗性材料を用いて製造することができ、支持体１０は、加工性がよく強度が高くコストの低い材料および加工プロセスを用いて製造することができ、そして、レール体２０を支持体１０に接続する。レール体２０の耐摩耗性が支持体１０の耐摩耗性より高いため、支持体１０の加工性がよく、加工コストが低く、組み合わせられたベースは、両者の利点を有することができ、レール体２０と可動部５０との係合の信頼性を確保し、性能要求と生産コストとを両立させ、レール機構Ａのコストパフォーマンスを向上させることができる。
【００２９】
本発明の一実施例によれば、移動体は、レール部２１に沿って移動する可動部に接続することができる。レール部２１は、互いに離間する複数のレールを含む。対応的に、可動部は、複数のレールの位置に一対一に対応する複数の可動部を含む。これにより、移動体に対するベースの支持作用が向上するとともに、移動体がレール部２１に沿ってより滑らか且つ確実に移動するようになる。
【００３０】
いくつかの例において、レール体２０に２つのレール部２１が設けられ、各レール部２１が円弧状の溝体である。２つの円弧状の溝体は、同一円周の周方向に間隔を置いて配置されてもよいし、径方向に間隔を置いて配置されてもよい。これについて、当業者が理解することができる。
【００３１】
図１および図２に示すように、いくつかの好ましい例において、支持体１０とレール体２０とは、接続部材３０によって脱着可能に接続される。例えば、接続部材３０は、複数のねじであってもよく、複数のねじは、レール部２１の周方向に間隔を置いて配置され、レール体２０と支持体１０との接続信頼性を確保するとともに、レール体２０と支持体１０との対向する側面が密着することも確保し、ベースの総合的な性能を向上させることができる。
【００３２】
図３に示すように、他のいくつかの好ましい例において、支持体１０とレール体２０とが嵌合またはダイカストにより組み合わせられる。例えば、製造時に、レール体２０および支持体１０には、それぞれ形状および位置が対応する加圧成形部が設けられ、レール体２０と支持体１０とを組み立てるとき、レール体２０における突起成形部を支持体１０における凹溝成形部内に押し込むことにより、両者の締結接続が実現され、操作が簡単で、接続信頼性が高い。
【００３３】
以下、図１〜図５を参照して本発明の第２態様の実施例に係るドラム洗濯機（図示せず）を説明する。なお、本発明において、前記ドラム洗濯機とは、例えば、いわゆる「洗濯機」や「ドラム式洗濯乾燥一体機」のような洗濯機能を有する衣類処理装置を指してもよい。
【００３４】
本発明の実施例に係るドラム洗濯機は、ハウジング（図示せず）と、槽部材（図示せず）と、回転可能なドラム（図示せず）と、ドアユニット４０と、上記実施例に記載のレール機構Ａとを含む。
【００３５】
前記ハウジングは、開放口が形成されるフロントパネルを備える。槽部材は、衣類出し入れ口を備え、槽部材は、ハウジング内に設けられるとともに、衣類出し入れ口を開放口内で上下に動かせるように配置される。回転可能なドラムは、槽部材内に設けられる。ドアユニット４０は、槽部材に取り付けられるとともに、衣類出し入れ口を覆う。
【００３６】
ドアユニット４０は、移動体であり、作動時に、ドアユニット４０は、槽部材に伴って鉛直平面内で揺動することができると同時に、ドアユニット４０は、レール機構Ａのガイドにより開放口内で上下に動く。
【００３７】
本発明の実施例に係るドラム洗濯機は、支持体１０とレール体２０とを組み合わせて形成されたベースを備えるレール機構Ａを用いることにより、性能要求および生産コストを両立させることができ、ドラム洗濯機の使用信頼性を確保したうえで、ドラム洗濯機のコストパフォーマンスを向上させる。
【００３８】
図４および図５に示すように、本発明の一実施例によれば、ドラム洗濯機は、可動部５０をさらに含み、可動部５０は、レール部２１に沿って移動する。ドアユニット４０は、接続部（図示せず）を介して可動部５０に接続される。槽部材は、鉛直面内で揺動しているとき、一緒に揺動するようにドアユニット４０を駆動し、それと同時に、ドアユニット４０における可動部５０は、レール機構Ａのレール部２１に沿って移動する。
【００３９】
いくつかの例において、レール機構Ａは、ドアユニット４０の一方側（図４および図５に示すドアユニット４０の右側）に設けられる。レール体２０は、支持体１０のドアユニット４０に向いた側（図５に示す支持体１０の左側）に位置する。レール機構Ａとドアユニット４０とは、可動部５０とレール部２１との係合によって接続される。これにより、構造が簡単かつコンパクトで、接続が確実である。
【００４０】
レール部２１は、槽部材の揺動中心回りの周方向に延びる円弧状の溝体として形成することができる。これにより、ドアユニット４０が動くとき、ドアユニット４０における可動部５０は、常にレール部２１に沿ってスライドし、レール部２１と可動部５０との係合により、位置制限の効果を奏することができるとともに、さらにドアユニット４０を支持する目的を達成することもでき、構造作動の安定性および使用信頼性が向上する。
【００４１】
いくつかの例において、可動部５０は、本体と、本体に対して回動可能な可動端とを含む。本体は、接続部を介してドアユニット４０に接続される。いくつかの具体的な例において、可動端は、本体に外嵌されるとともに、径方向に本体と間隔を置いて配置される。可動端と本体との間に転動体が設けられ、転動体がボールである。可動端は、レール部２１内に嵌合されて、レール部２１に沿って回動することができる。槽部材が揺動するとき、可動部５０は、本体が、ドアユニット４０に対して静止して動かず、可動端が、本体に対して回動して、動きが安定かつ確実である。
【００４２】
いくつかの好ましい例において、可動端のレール部２１との接触部分に内凹部が設けられ、内凹部はレール部２１に係合される。つまり、可動部５０の可動端は、ベースの厚み方向に延びるとともに、両端の寸法が中央部の寸法より大きい環状構造として形成することができる。これにより、可動部５０は、ベースに跨って設けられ、可動端の中央部の内凹部が円弧状の溝体の内壁に係合されるので可動部５０がベースから離脱することを防止することができ、可動部５０とベースとの係合の信頼性が確保される。
【００４３】
当然のことながら、本発明のドラム洗濯機の可動部５０の構造は、これに限定されず、例えば、可動部５０は、ベースに跨って設けられたプーリとして形成することもでき、プーリの回転軸は、接続部を介してドアユニット４０に接続される。
【００４４】
本発明の他のいくつかの実施例によれば、レール機構Ａは、２組であり、２組のレール機構Ａは、それぞれハウジングの両側に対称的に設けられる。具体的には、２つのレール機構Ａは、それぞれドアユニット４０の左右両側に設けられ、そのうちの１つのレール機構Ａは、ハウジングの左側壁の内壁に正対し、もう１つのレール機構Ａは、ハウジングの右側壁の内壁に正対する。槽部材が揺動するとき、ドアユニット４０は、２つのレール機構Ａのガイドにより動き、構造が安定かつ確実である。
【００４５】
そのため、本発明の実施例に係るドラム洗濯機は、構造が簡単かつコンパクトで、使用信頼性が高く、性能要求と生産コストとを両立させることができ、コストパフォーマンスが高い。
【００４６】
本発明の実施例に係るドラム洗濯機の他の構成および操作は、当業者にとって周知のことであるので、ここでは詳しく説明しない。
【００４７】
本明細書の説明において、「一実施例」、「いくつかの実施例」、「例示的な実施例」、「例」、「具体的な例」、或いは「いくつかの例」などの用語を参照した説明とは、当該実施例或いは例に合わせて説明された具体的な特徴、構造、材料或いは特性が、本発明の少なくとも１つの実施例或いは例に含まれることである。本明細書において、上記用語に対する例示的な説明は、必ずしも同じ実施例或いは例を示すものではない。また、説明された具体的な特徴、構造、材料或いは特性は、いずれか１つ或いは複数の実施例または例において適切に結合することができる。
【００４８】
本発明の実施例を示して説明したが、本発明の原理および主旨から逸脱しない限り、これらの実施例に対して種々の変化、修正、取り替えおよび変形を行うことができ、本発明の範囲が、請求項およびその均等物により限定されることは、当業者が理解できる。
【符号の説明】
【００４９】
１０    支持体
１１    ガイド部
２０    レール体
２１    レール部
３０    接続部材
４０    ドアユニット
５０    可動部
【図１】
0006845326.tif 000002
【図２】
0006845326.tif 000003
【図３】
0006845326.tif 000004
【図４】
0006845326.tif 000005
【図５】
0006845326.tif 000006